(57)【要約】【課題】木材を利用しつつ所定特性を付与することができ、しかも平板積層とは異なる積層構造を採用した部材を提供する。【解決手段】部材１は、木材の丸太を桂剥き状に切削することで得られた木材シートが多層状に巻回された木材シート巻回部２であって、木材処理剤が適用された木材シート巻回部２を備える。部材１は木材シート巻回部２を備えているので、木材を利用しつつ木材処理剤による所定特性を付与することができ、しかも平板積層とは異なる巻回の積層構造を採用した部材１を得ることができる。【選択図】図１
2018199246.tif 000002
【特許請求の範囲】
【請求項１】
木材の丸太を桂剥き状に切削することで得られた木材シートが多層状に巻回された木材シート巻回部であって、木材処理剤が適用された木材シート巻回部を備えたことを特徴とする部材。
【請求項２】
前記木材処理剤は、不燃化処理、準不燃化処理、難燃化処理、防虫処理、防蟻処理及び防腐処理のうちの少なくとも１つの処理用の処理剤であることを特徴とする請求項１記載の部材。
【請求項３】
前記丸太の心材部分から得られた前記木材シートが前記木材シート巻回部の中心側に配置され、前記丸太の辺材部分から得られた前記木材シートが前記木材シート巻回部の周辺側に配置されたことを特徴とする請求項１又は２記載の部材。
【請求項４】
前記木材シート巻回部が筒状をなし、前記木材シート巻回部の内側に芯材が配置されていないことを特徴とする請求項１乃至３のいずれかに記載の部材。
【請求項５】
前記木材シート巻回部が筒状をなし、前記木材シート巻回部の内側に配置された管状又は棒状の芯材を備えたことを特徴とする請求項１乃至３のいずれかに記載の部材。
【請求項６】
前記木材シートの互いに重なる少なくとも一部分同士が接着剤で接着されたことを特徴とする請求項１乃至５のいずれかに記載の部材。
【請求項７】
前記木材シート巻回部の外周を覆うカバー部材であって、前記木材シート巻回部の外周を内側に向けて押しつけるバネ性を有するカバー部材を備えたことを特徴とする請求項１乃至６のいずれかに記載の部材。
【請求項８】
前記木材シート巻回部の巻回状態が保持されるように前記木材シート巻回部を留める留め具を備えたことを特徴とする請求項１乃至７のいずれかに記載の部材。
【請求項９】
請求項１乃至８のいずれかに記載の部材を製造する製造方法であって、前記木材シートの層が他の層と重なっていない状態で前記木材処理剤を適用する段階を備えたことを特徴とする製造方法。
【請求項１０】
請求項１乃至８のいずれかに記載の部材を製造する製造方法であって、前記木材シートの層が他の層と重なっている状態で前記木材処理剤を適用する段階を備えたことを特徴とする製造方法。
【発明の詳細な説明】
【技術分野】
【０００１】
本発明は、木材を利用した部材に関するものである。
【背景技術】
【０００２】
下記特許文献１には、難炎防炎剤が含浸された木材の平板を積層した防炎加工木材が開示されている。前記難炎防炎剤は、木材に所定特性を付与する木材処理剤の一種である。
【先行技術文献】
【特許文献】
【０００３】
【特許文献１】特開２００１−２３９５０４号公報
【発明の概要】
【発明が解決しようとする課題】
【０００４】
しかしながら、前記従来の防炎加工木材では、平板を積層したものであるため、平板積層に起因する制約を受ける。
【０００５】
本発明は、このような事情に鑑みてなされたもので、木材を利用しつつ所定特性を付与することができ、しかも平板積層とは異なる積層構造を採用した部材、及び、前記部材の製造方法を提供することを目的とする。
【課題を解決するための手段】
【０００６】
前記課題を解決するための手段として、以下の各態様を提示する。第１の態様による部材は、木材の丸太を桂剥き状に切削することで得られた木材シートが多層状に巻回された木材シート巻回部であって、木材処理剤が適用された木材シート巻回部を備えたものである。
【０００７】
この第１の態様によれば、木材シートが多層状に巻回され木材処理剤が適用された木材シート巻回部を備えているので、木材を利用しつつ木材処理剤による所定特性を付与することができ、しかも平板積層とは異なる巻回の積層構造を採用した部材を得ることができる。
【０００８】
なお、前記第１の態様による部材の用途は、柱や梁などの建材や、電線用又は導光線用の保護管などを挙げることができるが、これらの用途に限らない。
【０００９】
第２の態様による部材は、前記第１の態様において、前記木材処理剤は、不燃化処理、準不燃化処理、難燃化処理、防虫処理、防蟻処理及び防腐処理のうちの少なくとも１つの処理用の処理剤であるものである。
【００１０】
この第２の態様は、前記木材処理剤の例を挙げたものであるが、前記第１の態様ではこれらの例に限らない。
【００１１】
第３の態様による部材は、前記第１又は第２の態様において、前記丸太の心材部分から得られた前記木材シートが前記木材シート巻回部の中心側に配置され、前記丸太の辺材部分から得られた前記木材シートが前記木材シート巻回部の周辺側に配置されたものである。
【００１２】
この第３の態様によれば、前記丸太の心材部分から得られた前記木材シートが前記木材シート巻回部の中心側に配置され、前記丸太の辺材部分から得られた前記木材シートが前記木材シート巻回部の周辺側に配置されているので、辺材は心材に比べて液状の木材処理剤が浸透し易いことから、木材シート巻回部の周辺側が木材シート巻回部の中心側に比べて木材処理剤による所定特性（例えば、不燃化等）をより良好に発揮させることができる。したがって、前記第３の態様によれば、心材部分から得られた木材シートを木材シート巻回部の周辺側に配置し辺材部分から得られた木材シートを木材シート巻回部の中心側に配置する場合に比べて、木材シート巻回部全体として、木材処理剤による特性をより良好に発揮させることができる。
【００１３】
第４の態様による部材は、前記第１乃至第３のいずれかの態様において、前記木材シート巻回部が筒状をなし、前記木材シート巻回部の内側に芯材が配置されていないものである。
【００１４】
この第４の態様による部材は、木材シート巻回部の内側に芯材が配置されていない例を挙げたものである。
【００１５】
第５の態様による部材は、前記第１乃至第３のいずれかの態様において、前記木材シート巻回部が筒状をなし、前記木材シート巻回部の内側に配置された管状又は棒状の芯材を備えたものである。前記芯材の材質として、例えば、鋼やアルミニウム等の金属やガラス繊維や炭素繊維や樹脂などを挙げることができる。
【００１６】
この第５の態様による部材は、木材シート巻回部の内側に芯材が配置された例を挙げたものである。この第５の態様によれば、前記芯材によって当該部材全体としての強度を高めることができる。
【００１７】
第６の態様による部材は、前記第１乃至第５のいずれかの態様において、前記木材シートの互いに重なる少なくとも一部分同士が接着剤で接着されたものである。
【００１８】
この第６の態様によれば、前記接着剤によって、前記木材シート巻回部の巻回状態を保持することができる。前記接着剤の材質は当該部材の用途等によって任意に定めることができるが、例えば、前記木材処理剤が不燃化処理用、準不燃化処理用又は難燃化処理用の処理剤である場合には、ケイ酸ナトリウム（水ガラス）からなる接着剤などの、高温時に有毒ガスが生じない接着剤を用いてもよい。
【００１９】
第７の態様による部材は、前記第１乃至第６のいずれかの態様において、前記木材シート巻回部の外周を覆うカバー部材であって、前記木材シート巻回部の外周を内側に向けて押しつけるバネ性を有するカバー部材を備えたものである。前記カバー部材の材質として、鋼やアルミニウム等の金属やガラス繊維や炭素繊維や樹脂などを挙げることができる。
【００２０】
この第７の態様によれば、前記カバー部材によって、前記木材シート巻回部の巻回状態を保持することが可能となる。また、前記第７の態様によれば、前記カバー部材によって当該部材全体としての強度を高めることができる。
【００２１】
第８の態様による部材は、前記第１乃至第７のいずれかの態様において、前記木材シート巻回部の巻回状態が保持されるように前記木材シート巻回部を留める留め具を備えたものである。
【００２２】
この第８の態様は、留め具によって木材シート巻回部の巻回状態を保持する例を挙げたものである。
【００２３】
第９の態様による製造方法は、前記第１乃至第８のいずれかの態様による部材を製造する製造方法であって、前記木材シートの層が他の層と重なっていない状態で前記木材処理剤を適用する段階を備えたものである。
【００２４】
この第９の態様によれば、前記木材シートの層が他の層と重なっていない状態で前記木材処理剤を適用するので、木材処理剤が浸透し易くなって前記木材シートの層に木材処理剤をより均一に適用することができ、ひいては、木材処理剤による特性をより良好に発揮させることができる。
【００２５】
第１０の態様による製造方法は、前記第１乃至第８のいずれかの態様による部材を製造する製造方法であって、前記木材シートの層が他の層と重なっている状態で前記木材処理剤を適用する段階を備えたものである。
【００２６】
この第１０の態様によれば、前記木材シートの層が他の層と重なっている状態で前記木材処理剤を適用するので、前記木材シートの層に木材処理剤を前記第９の態様ほど均一に適用することができないが、桂剥きをした木材シートの厚さによっては、この第１０の態様によっても十分に均一に前記木材シートの層に木材処理剤を適用することができる。
【発明の効果】
【００２７】
本発明によれば、木材を利用しつつ所定特性を付与することができ、しかも平板積層とは異なる積層構造を採用した部材、及び、前記部材の製造方法を提供することができる。
【図面の簡単な説明】
【００２８】
【図１】本発明の第１の実施の形態による部材を示す概略斜視図である。
【図２】図１に示す部材を示す概略横断面図である。
【図３】図１に示す部材の製造工程の一部の工程を実施する装置を模式的に示す図である。
【図４】図３中のロータリーレースによる丸太の桂剥きの様子を模式的に示す概略斜視図である。
【図５】図３中の巻き取り機から取り出されたロールを模式的に示す概略斜視図である。
【図６】図１に示す部材の製造工程の他の一部の工程を実施する装置を模式的に示す図である。
【図７】図６中の巻き取り機から取り出されたロールを模式的に示す概略斜視図である。
【図８】図１に示す部材の製造工程の一部の代替工程を実施する装置を模式的に示す図である。
【図９】図１に示す部材の製造工程の他の一部の代替工程を実施する装置を模式的に示す図である。
【図１０】本発明の第２の実施の形態による部材を示す概略斜視図である。
【図１１】図１０に示す部材を示す概略横断面図である。
【図１２】本発明の第３の実施の形態による部材を示す概略斜視図である。
【図１３】図１２に示す部材を示す概略横断面図である。
【図１４】本発明の第４の実施の形態による部材を示す概略斜視図である。
【図１５】図１４に示す部材を示す概略横断面図である。
【図１６】本発明の第５の実施の形態による部材を示す概略斜視図である。
【図１７】本発明の第６の実施の形態による部材を示す概略斜視図である。
【図１８】本発明の第７の実施の形態による部材を示す概略斜視図である。
【図１９】本発明の第８の実施の形態による部材を示す概略斜視図である。
【図２０】図１９示す部材を示す概略横断面図である。
【発明を実施するための形態】
【００２９】
以下、本発明による木材を利用した部材及びその製造方法について、図面を参照して説明する。
【００３０】
［第１の実施の形態］
【００３１】
図１は、本発明の第１の実施の形態による部材１を示す概略斜視図である。図２は、図１に示す部材１を示す概略横断面図である。
【００３２】
本実施の形態による部材１は、木材の丸太１１（後述する図３及び図４を参照）を桂剥き状に切削することで得られた木材シート１２（後述する図３及び図４を参照）が多層状に巻回された木材シート巻回部２であって、木材処理剤が適用された木材シート巻回部２を備えている。
【００３３】
本実施の形態では、丸太１１の樹種としては、例えば、スギ、ヒノキ、マツ、イチョウ、イチイ、ヒバ等の針葉樹や、ケヤキ、サクラ、シラカバ、ヤナギ、クリ、ブナ、ナラ、カエデ等の広葉樹を挙げることができる。なお、木材シート巻回部２を構成する木材シート１２の全てが必ずしも同じ丸太１１から得たものである必要はなく、木材シート巻回部２を構成する一部の木材シート１２を得た丸太１１と、木材シート巻回部２を構成する他の一部の木材シート１２を得た丸太１１とは異なっていてもよい。また、木材シート巻回部２を構成する木材シート１２の樹種は必ずしも全て同じである必要はなく、木材シート巻回部２を構成する一部の木材シート１２の樹種と、木材シート巻回部２を構成する他の一部の木材シート１２の樹種とは異なっていてもよい。
【００３４】
また、本実施の形態では、木材シート巻回部２は円筒状をなし、図面には示していないが、木材シート巻回部２において木材シート１２が当該円筒の軸線の回りに多層状に巻回されている。本実施の形態では、木材シート１２の各層に木材処理剤が含浸されており、各層間が接着剤（図示せず）で接着されている。なお、本発明では、例えば、常圧で含浸したり、真空・加圧含浸装置などを用いて含浸したり、木材シート１２の各層に木材処理剤を塗布したりすることによって、木材処理剤を適用してもよい。
【００３５】
本実施の形態では、木材シート巻回部２の内側には芯材は配置されておらず、中空となっている。
【００３６】
前記木材処理剤としては、例えば、不燃化処理、準不燃化処理、難燃化処理、防虫処理、防蟻処理及び防腐処理のうちの少なくとも１つの処理用の処理剤を挙げることができる。
【００３７】
不燃、準不燃、難燃の差は不燃の程度の差であり、難燃、準不燃、不燃の順で理想的な不燃に近づく。不燃化処理用処理剤（不燃剤）、準不燃化処理用処理剤（凖不燃剤）及び難燃化処理用処理剤（難燃剤）としては、例えば、リン酸系やホウ酸系の処理剤を挙げることができる。また、不燃剤として、例えば、特許第３４８５９１４号公報、特許第３５３８１９４号公報、特許第３６３１４８６号公報に開示されているような不燃処理液を用いてよい。
【００３８】
防腐・防蟻処理用処理剤（防腐・防蟻剤）としては、例えば、クロム・銅・ひ素化合物系や、銅・アルキルアンモニウム化合物系や、銅・ほう素・アゾール系や、ナフテン酸銅系や、ナフテン酸亜鉛系や、アルキルアンモニウム化合物系や、ほう素・アルキルアンモニウム化合物系や、バーサチック酸亜鉛・ピレスロイド系や、アゾール化合物系の処理剤を挙げることができる。
【００３９】
前記接着剤としては、フェノール樹脂接着剤、メラミン樹脂接着剤、ユリア樹脂接着剤、ケイ酸ナトリウム（水ガラス）からなる接着剤などを挙げることができる。前記木材処理剤が不燃剤、凖不燃剤又は難燃剤である場合には、ケイ酸ナトリウム（水ガラス）からなる接着剤などの、高温時に有毒ガスが生じない接着剤を用いてもよい。
【００４０】
本実施の形態では、丸太１１の樹種は、スギ・ヒノキのように中心側の心材と周辺側の辺材との区別が付く種類となっている。図面には示していないが、木材シート巻回部２における中心側部分２Ａは、丸太１１の心材部分から得られた木材シート１２で巻回されたものとなっており、木材シート巻回部２における周辺側部分２Ｂは、丸太１１の辺材部分から得られた木材シート１２で巻回されたものとなっている。これにより、丸太１１の心材部分から得られた木材シート１２が木材シート巻回部２の中心側に配置され、丸太１１の辺材部分から得られた木材シート１２が木材シート巻回部２の周辺側に配置されている。
【００４１】
本実施の形態による部材１を製造する製造方法の一例について、図３乃至図７を参照して説明する。
【００４２】
図３は、図１に示す部材１の製造工程の一部の工程を実施する装置を模式的に示す図である。図４は、図３中のロータリーレース２１による丸太１１の桂剥きの様子を模式的に示す概略斜視図である。図５は、図３中の巻き取り機２６から取り出されたロール３１を模式的に示す概略斜視図である。図６は、図１に示す部材１の製造工程の他の一部の工程を実施する装置を模式的に示す図である。図７は、図６中の巻き取り機４４から取り出されたロール５１を模式的に示す概略斜視図である。
【００４３】
本例による部材１の製造方法では、図３に示すように丸太１１を公知のロータリーレース２１にセットし、ロータリーレース２１の回転機（図示せず）により丸太１１を回転させ、これによりロータリーレース２１の切削刃２１ａを丸太１１に当てて、図３及び図４に示すように丸太１１を桂剥き状に切削して木材シート１２を得る。
【００４４】
ロータリーレース２１により得られた木材シート１２は、図３に示すように、搬送ローラ２２及びガイドローラ２３により搬送及び案内されて、槽２４内に収容された液状の前記木材処理剤２５内を通過した後に、巻き取り機２６にセットされた芯材２７に巻回されて巻き取られる。本例では、木材シート１２の層が他の層と重なっていない状態で木材処理剤２５内を通過することにより、木材シート１２の層が他の層と重なっていない状態で木材処理剤２５が含浸されることになる。
【００４５】
丸太１１の桂剥きが終了して丸太１１から得られた木材シート１２が芯材２７に巻回されて巻き取られ終わると、巻き取り機２６からロール３１が取り出される。図５は、前述したように、巻き取り機２６から取り出されたロール３１を模式的に示す概略斜視図である。ロール３１は、芯材２７とこれに巻回された木材シート１２とからなる。なお、必要に応じて、木材シート１２が芯材２７に巻回された状態に保持されるように、バンド（図示せず）等で仮留めしておく。
【００４６】
巻き取り機２６から取り出されたロール３１は、自然乾燥、強制乾燥又はその両方にて乾燥される。
【００４７】
複数本の丸太１１から、このような乾燥後のロール３１を複数用意しておく。
【００４８】
次に、乾燥後のロール３１を図６中の巻き出し機４１にセットし、巻き出し機４１の回転機（図示せず）によりロール３１を回転させ、これによりロール３１から木材シート１２を巻き出す。
【００４９】
巻き出し機４１によりロール３１から巻き出された木材シート１２は、図６に示すように、搬送ローラ４２により搬送されて、接着剤塗布機４３により前記接着剤が塗布された後に、巻き取り機４４にセットされた芯材４５に巻回されて巻き取られる。本例では、接着剤塗布機４３は、木材シート１２の一方の面の全面に接着剤を塗布する。接着剤塗布機４３の接着剤塗布方法は、例えば、噴射塗布でもよいし、ロールコータによる塗布などでもよい。なお、木材シート１２の一方の面の全面には接着剤を塗布する代わりに、木材シート１２の芯材４５への巻終り付近のみに接着剤を塗布してもよい。
【００５０】
そして、ロール３１から丸太１１の心材部分から得られた木材シート１２が全部巻き出されて芯材４５に巻回されても、未だ木材シート巻回部２における中心側部分２Ａに満たない場合には、ロール３１から丸太１１の心材部分から得られた木材シート１２が全部巻き出された所で、ロール３１の木材シート１２を切断し、一旦、木材シート１２の芯材４５への巻回を中断する。その後、当該ロール３１を、心材部分から得られた木材シート１２が残っている別のロール３１に交換し、心材部分から得られた木材シート１２が中心側部分２Ａの途中まで芯材４５に巻回されたものに対して、交換後のロール３１から巻き出された心材部分から得られた木材シート１２を更に巻回していく。
【００５１】
そして、ロール３１から巻き出されて芯材４５に巻回された丸太１１の心材部分から得られた木材シート１２が木材シート巻回部２における中心側部分２Ａを満たすと、そこでロール３１の木材シート１２を切断し、一旦、木材シート１２の芯材４５への巻回を中断する。
【００５２】
その後、当該ロール３１を、丸太１１の心材部分から得られた木材シート１２が取り除かれ丸太１１の辺材部分から得られた木材シート１２が残っている別のロール３１に交換し、心材部分から得られた木材シート１２が中心側部分２Ａの最後まで芯材４５に巻回されたものに対して、交換後のロール３１から巻き出された辺材部分から得られた木材シート１２を更に巻回していく。
【００５３】
そして、ロール３１から丸太１１の辺材部分から得られた木材シート１２が全部巻き出されて芯材４５に巻回されても、未だ木材シート巻回部２における周辺側部分２Ｂに満たない場合には、ロール３１から丸太１１の辺材部分から得られた木材シート１２が全部巻き出された所で、一旦、木材シート１２の芯材４５への巻回を中断する。その後、当該ロール３１を、丸太１１の心材部分から得られた木材シート１２が取り除かれ丸太１１の辺材部分から得られた木材シート１２が残っている別のロール３１に交換し、辺材部分から得られた木材シート１２が周辺側部分２Ｂの途中まで芯材４５に巻回されたものに対して、交換後のロール３１から巻き出された辺材部分から得られた木材シート１２を更に巻回していく。
【００５４】
そして、ロール３１から巻き出されて芯材４５に巻回された丸太１１の辺材部分から得られた木材シート１２が木材シート巻回部２における周辺側部分２Ｂを満たすと、そこでロール３１の木材シート１２を切断し、木材シート１２の芯材４５への巻回を終了する。
【００５５】
その後、巻き取り機４４からロール５１が取り出される。図７は、前述したように、巻き取り機４４から取り出されたロール５１を模式的に示す概略斜視図である。ロール５１は、芯材４５とこれに巻回された木材シート１２とからなる。なお、必要に応じて、木材シート１２が芯材２７に巻回された状態に保持されるように、バンド（図示せず）等で仮留めしておく。
【００５６】
巻き取り機４４から取り出されたロール５１は、前記接着剤による接着が、ロール５１の形が変形しない程度に進行するまで、自然乾燥、強制乾燥又はその両方にて乾燥される。前記接着剤による接着が、ロール５１の形が変形しない程度に進行したら、ロール５１から芯材４５を引き抜く。芯材４５の引き抜き後のロール５１（木材シート巻回部２に相当）を自然乾燥、強制乾燥又はその両方にて乾燥させる。これにより、本実施の形態による部材１が完成する。なお、必要に応じて、芯材４５の引き抜きの前又は後に、ロール５１（木材シート巻回部２に相当）の外周面に研磨（サンダー）加工及び／又は旋削（レース）加工を施すことで、表面仕上げ及び径のサイズ調整を行ってもよい。また、必要に応じて、長さ方向のサイズ調整を行うべく所定箇所で切断してもよい。
【００５７】
前述した部材１の製造方法において、例えば、図３に示す工程に代えて、図８及び図９に示す工程を行ってもよい。図８は、図１に示す部材１の製造工程の一部の代替工程を実施する装置を模式的に示す図である。図９は、図１に示す部材１の製造工程の他の一部の代替工程を実施する装置を模式的に示す図である。図８及び図９において、図３中の要素と同一又は対応する要素には同一符号を付し、その重複する説明は省略する。
【００５８】
この製造方法では、図８に示すように丸太１１をロータリーレース２１にセットし、ロータリーレース２１の回転機（図示せず）により丸太１１を回転させ、これによりロータリーレース２１の切削刃２１ａを丸太１１に当てて、図８及び図４に示すように丸太１１を桂剥き状に切削して木材シート１２を得る。
【００５９】
ロータリーレース２１により得られた木材シート１２は、図８に示すように、搬送ローラ２２により搬送されて、巻き取り機２６にセットされた芯材２７に巻回されて巻き取られる。
【００６０】
丸太１１の桂剥きが終了して丸太１１から得られた木材シート１２が芯材２７に巻回されて巻き取られ終わると、巻き取り機２６からロール３２が取り出される。なお、必要に応じて、木材シート１２が芯材２７に巻回された状態に保持されるように、バンド（図示せず）等で仮留めしておく。複数本の丸太１１から、このようなロール３２を複数用意しておく。
【００６１】
次に、図９に示すように、複数のロール３２を、槽２４内に収容された液状の前記木材処理剤２５に浸漬させる。これにより、木材シート１２の層が他の層と重なっている状態で木材処理剤２５が含浸されることになる。なお、ロール３２に常圧で木材処理剤２５を含浸させる代わりに、ロール３２に真空・加圧含浸装置などを用いて木材処理剤２５を含浸させてもよい。
【００６２】
その後、ロール３２を木材処理剤２５内から取り出して、自然乾燥、強制乾燥又はその両方にて乾燥させる。その後、この製造方法では、前述した製造方法と同じく図６以降の工程を行うことで、図１に示す部材１が完成する。
【００６３】
本実施の形態による部材１では、木材シート１２が多層状に巻回され木材処理剤２５が適用された木材シート巻回部２を備えているので、木材を利用しつつ木材処理剤２５による所定特性を付与することができ、しかも平板積層とは異なる巻回の積層構造を採用した部材を得ることができる。
【００６４】
なお、本実施の形態による部材１の用途は、柱や梁などの建材や、電線用又は導光線用の保護管などを挙げることができるが、これらの用途に限らない。
【００６５】
また、本実施の形態による部材１では、木材シート巻回部２における中心側部分２Ａは、丸太１１の心材部分から得られた木材シート１２で巻回されたものとなっており、木材シート巻回部２における周辺側部分２Ｂは、丸太１１の辺材部分から得られた木材シート１２で巻回されたものとなっているので、辺材は心材に比べて液状の木材処理剤２５が浸透し易いことから、木材シート巻回部２の周辺側が木材シート巻回部２の中心側に比べて木材処理剤２５による所定特性（例えば、不燃化等）をより良好に発揮させることができる。したがって、本実施の形態によれば、心材部分から得られた木材シート１２を木材シート巻回部２の周辺側に配置し辺材部分から得られた木材シート１２を木材シート巻回部２の中心側に配置する場合に比べて、木材シート巻回部２全体として、木材処理剤２５による特性をより良好に発揮させることができる。もっとも、本発明では、木材シート巻回部２において、心材部分から得られた木材シート１２及び辺材部分から得られた木材シート１２を前述したように配置にすることに限定されるものではない。
【００６６】
図３に示す工程を採用する前述した部材１の製造方法では、木材シート１２の層が他の層と重なっていない状態で木材処理剤２５が含浸されるので、木材シート１２の層が他の層と重なっている状態で木材処理剤２５が含浸される製造方法（図８及び図９に示す工程を採用する前述した部材１の製造方法）に比べて、木材処理剤２５が浸透し易くなって木材シート１２の層に木材処理剤２５をより均一に適用することができ、ひいては、木材処理剤２５による特性をより良好に発揮させることができる。
【００６７】
［第２の実施の形態］
【００６８】
図１０は、本発明の第２の実施の形態による部材６１を示す概略斜視図であり、図１に対応している。図１１は、図１０に示す部材６１を示す概略横断面図であり、図２に対応している。図１０及び図１１において、図１及び図２並びに図６及び図７中の要素と同一又は対応する要素には同一符号を付し、その重複する説明は省略する。
【００６９】
本実施の形態による部材６１が前記第１の実施の形態による部材１と異なる所は、前記第１の実施の形態による部材１では、木材シート巻回部２の内側には芯材は配置されておらずに中空となっているのに対し、本実施の形態による部材６１では、木材シート巻回部２の内側に円柱状の芯材４５が配置されている点である。
【００７０】
芯材４５の材質として、例えば、鋼やアルミニウム等の金属やガラス繊維や炭素繊維や樹脂などを挙げることができる。
【００７１】
本実施の形態による部材６１は、基本的には、前記第１の実施の形態による部材１と同様の製造方法によって製造することができる。ただし、本実施の形態による部材６１を製造する場合には、例えば、図６及び図７中の芯材４５として円柱状の部材を用い、ロール５１から芯材４５を引き抜かずに芯材４５を残せばよい。このとき、芯材４５が木材シート巻回部２から長さ方向に突出しないように、芯材４５を切断しその長さを調整してもよいし、芯材４５を木材シート巻回部２から長さ方向に突出したままにしてもよい。後者の場合には、木材シート巻回部２からの芯材４５の突出部分は、例えば、他の部材とのジョイントに用いてもよい。
【００７２】
本実施の形態によっても前記第１の実施の形態と同様の利点が得られる。また、本実施の形態による部材６１は、芯材４５を有しているので、前記第１の実施の形態による部材１に比べて強度を高めることができる。
【００７３】
［第３の実施の形態］
【００７４】
図１２は、本発明の第３の実施の形態による部材７１を示す概略斜視図であり、図１０に対応している。図１３は、図１２に示す部材７１を示す概略横断面図であり、図１１対応している。図１２及び図１３において、図１０及び図１１中の要素と同一又は対応する要素には同一符号を付し、その重複する説明は省略する。
【００７５】
本実施の形態による部材７１が前記第２の態様による部材６１と異なる所は、前記第２の実施の形態による部材６１では、芯材４５が円柱状であるのに対し、芯材４５が円筒状である点である。
【００７６】
本実施の形態による部材７１も、前記第２の実施の形態による部材６１と同様の製造方法によって製造することができる。
【００７７】
本実施の形態によっても前記第１の実施の形態と同様の利点が得られる。
【００７８】
［第４の実施の形態］
【００７９】
図１４は、本発明の第４の実施の形態による部材８１を示す概略斜視図であり、図１に対応している。図１５は、図１４に示す部材８１を示す概略横断面図であり、図２に対応している。図１４及び図１５において、図１及び図２並びに図６及び図７中の要素と同一又は対応する要素には同一符号を付し、その重複する説明は省略する。
【００８０】
本実施の形態による部材８１が前記第１の実施の形態による部材１と異なる所は、木材シート巻回部２の外周を覆うカバー部材８２であって、木材シート巻回部２の外周を内側に向けて押しつけるバネ性を有するカバー部材８２が、追加されている点である。
【００８１】
本実施の形態では、カバー部材８２は、横断面でＣ状をなすように構成され、木材シート巻回部２の外周のほぼ全体を覆っている。カバー部材８２の材質として、例えば、鋼やアルミニウム等の金属やガラス繊維や炭素繊維や樹脂などを挙げることができる。
【００８２】
本実施の形態による部材８１の製造時には、カバー部材８２は、そのバネ性に抗して押し広げて、木材シート巻回部２の外周を覆うように装着すればよい。
【００８３】
本実施の形態によっても前記第１の実施の形態と同様の利点が得られる。また、本実施の形態による部材８１は、カバー部材８２を有しているので、前記第１の実施の形態による部材１に比べて強度を高めることができる。
【００８４】
また、本実施の形態では、カバー部材８２が木材シート巻回部２の巻回状態を保持する機能を持つので、木材シート巻回部２において木材シート１２の互いに重なる少なくとも一部分同士を必ずしも接着剤で接着する必要はない。
【００８５】
［第５の実施の形態］
【００８６】
図１６は、本発明の第５の実施の形態による部材９１を示す概略斜視図であり、図１に対応している。図１６において、図１中の要素と同一又は対応する要素には同一符号を付し、その重複する説明は省略する。
【００８７】
本実施の形態による部材９１が前記第１の実施の形態による部材１と異なる所は、本実施の形態による部材９１では、木材シート巻回部２において木材シートの互いに重なる層間は接着剤で接着されておらず、木材シート巻回部２の巻回状態が保持されるように木材シート巻回部２を留める留め具として、Ｃリング状の留め具９２が複数設けられている点である。
【００８８】
留め具９２は、前記第４の実施の形態による部材８１のカバー部材８２を長さ方向を短く構成したものに相当している。
【００８９】
［第６の実施の形態］
【００９０】
図１７は、本発明の第６の実施の形態による部材１０１を示す概略斜視図であり、図１に対応している。図１７において、図１中の要素と同一又は対応する要素には同一符号を付し、その重複する説明は省略する。
【００９１】
本実施の形態による部材１０１が前記第１の実施の形態による部材１と異なる所は、本実施の形態による部材１０１では、木材シート巻回部２において木材シートの互いに重なる層間は接着剤で接着されておらず、木材シート巻回部２の巻回状態が保持されるように木材シート巻回部２を留める留め具として、ステープラの針１０２が、木材シート巻回部２において、木材シート１２の巻終り端１２ａの付近に複数設けられている点である。
【００９２】
［第７の実施の形態］
【００９３】
図１８は、本発明の第７の実施の形態による部材１１１を示す概略斜視図であり、図１に対応している。図１８において、図１中の要素と同一又は対応する要素には同一符号を付し、その重複する説明は省略する。
【００９４】
本実施の形態による部材１１１が前記第１の実施の形態による部材１と異なる所は、本実施の形態による部材１１１では、木材シート巻回部２において木材シートの互いに重なる層間は接着剤で接着されておらず、木材シート巻回部２の巻回状態が保持されるように木材シート巻回部２を留める留め具として、木ネジ１１２が、木材シート巻回部２において、木材シート１２の巻終り端１２ａの付近に複数設けられている点である。
【００９５】
なお、前記第４乃至第７の実施の形態による部材８１，９１，１０１，１１１において、前記第２の実施の形態による部材６１又は前記第３の実施の形態による部材７１と同様に、木材シート巻回部２の内側に円柱状又は円筒状の芯材４５を配置してもよい。
【００９６】
［第８の実施の形態］
【００９７】
図１９は、本発明の第８の実施の形態による部材１２１を示す概略斜視図であり、図１２及び図１４に対応している。図２０は、図１９に示す部材１２１を示す概略横断面図であり、図１３及び図１５に対応している。図１９及び図２０において、図１２乃至図１５中の要素と同一又は対応する要素には同一符号を付し、その重複する説明は省略する。
【００９８】
本発明では、前述した第１乃至第７の実施の形態並びにそれらの変形例において、円筒状や円柱状の形状を、四角筒状や四角柱状の形状、あるいは、三角筒状や三角柱状の形状などに置き換えてもよい。本実施の形態による部材１２１は、そのような形状置き換えの一例を示している。本実施の形態による部材１２１は、図１４及び図１５に示す前記第４の実施の形態による部材８１において図１２及び図１３に示す前記第３の実施の形態による部材７１と同様に木材シート巻回部２の内側に円筒状の芯材４５を配置したものにおいて、円筒状や円柱状の形状を四角筒状や四角柱状の形状に置き換えたものに相当している。
【００９９】
以上、本発明の各実施の形態及びそれらの変形例について説明したが、本発明はこれらに限定されるものではない。
【０１００】
例えば、本発明では、いずれかの実施の形態による前記部材を複数用意し、縦接ぎ加工によって、これらの複数の部材を長さ方向に接合してもよい。
【０１０１】
また、本発明では、いずれかの実施の形態による前記部材の外面に、任意の化粧シートを貼り付けてもよい。
【符号の説明】
【０１０２】
１，６１，７１，８１，９１，１０１，１１１，１２１  部材
２  木材シート巻回部
１１  丸太
１２  木材シート
【図１】
2018199246.tif 000003
【図２】
2018199246.tif 000004
【図３】
2018199246.tif 000005
【図４】
2018199246.tif 000006
【図５】
2018199246.tif 000007
【図６】
2018199246.tif 000008
【図７】
2018199246.tif 000009
【図８】
2018199246.tif 000010
【図９】
2018199246.tif 000011
【図１０】
2018199246.tif 000012
【図１１】
2018199246.tif 000013
【図１２】
2018199246.tif 000014
【図１３】
2018199246.tif 000015
【図１４】
2018199246.tif 000016
【図１５】
2018199246.tif 000017
【図１６】
2018199246.tif 000018
【図１７】
2018199246.tif 000019
【図１８】
2018199246.tif 000020
【図１９】
2018199246.tif 000021
【図２０】
2018199246.tif 000022
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
木材の複数の丸太を桂剥き状に切削することで得られた木材シートが多層状に巻回された木材シート巻回部であって、木材処理剤が適用された木材シート巻回部を備え、
前記複数の丸太のうちの少なくとも１つの丸太の心材部分から得られた前記木材シートが前記木材シート巻回部の中心側に配置され、前記複数の丸太のうちの少なくとも１つの丸太の辺材部分から得られた前記木材シートが前記木材シート巻回部の周辺側に配置され、
前記木材シート巻回部の中心側に配置された木材シートは前記複数の丸太のうちの２つ以上の丸太の心材部分から得られた木材シートを含む、
ことを特徴とする部材。
【請求項２】
木材の複数の丸太を桂剥き状に切削することで得られた木材シートが多層状に巻回された木材シート巻回部であって、木材処理剤が適用された木材シート巻回部を備え、
前記複数の丸太のうちの少なくとも１つの丸太の心材部分から得られた前記木材シートが前記木材シート巻回部の中心側に配置され、前記複数の丸太のうちの少なくとも１つの丸太の辺材部分から得られた前記木材シートが前記木材シート巻回部の周辺側に配置され、
前記木材シート巻回部の周辺側に配置された木材シートは前記複数の丸太のうちの２つ以上の丸太の辺材部分から得られた木材シートを含む、
ことを特徴とする部材。
【請求項３】
前記木材処理剤は、不燃化処理、準不燃化処理、難燃化処理、防虫処理、防蟻処理及び防腐処理のうちの少なくとも１つの処理用の処理剤であることを特徴とする請求項１又は２記載の部材。
【請求項４】
前記木材シート巻回部が筒状をなし、前記木材シート巻回部の内側に芯材が配置されていないことを特徴とする請求項１乃至３のいずれかに記載の部材。
【請求項５】
前記木材シート巻回部が筒状をなし、前記木材シート巻回部の内側に配置された管状又は棒状の芯材を備えたことを特徴とする請求項１乃至３のいずれかに記載の部材。
【請求項６】
前記木材シートの互いに重なる少なくとも一部分同士が接着剤で接着されたことを特徴とする請求項１乃至５のいずれかに記載の部材。
【請求項７】
前記木材シート巻回部の外周を覆うカバー部材であって、前記木材シート巻回部の外周を内側に向けて押しつけるバネ性を有するカバー部材を備えたことを特徴とする請求項１乃至６のいずれかに記載の部材。
【請求項８】
前記木材シート巻回部の巻回状態が保持されるように前記木材シート巻回部を留める留め具を備えたことを特徴とする請求項１乃至７のいずれかに記載の部材。
【請求項９】
請求項１乃至８のいずれかに記載の部材を製造する製造方法であって、前記木材シートの層が他の層と重なっていない状態で前記木材処理剤を適用する段階を備えたことを特徴とする製造方法。
【請求項１０】
請求項１乃至８のいずれかに記載の部材を製造する製造方法であって、前記木材シートの層が他の層と重なっている状態で前記木材処理剤を適用する段階を備えたことを特徴とする製造方法。